(57)【要約】【課題】遊技者に対して不調な出玉状況を報知しつつも、好調な出玉状況を効果的にアピール可能な遊技情報表示装置を提供する。【解決手段】出玉が＋側グラフ領域の範囲最大値、或いは−側グラフ領域の範囲最小値に達した場合は、＋側グラフ領域に優先して−側グラフ領域のレンジを更新して横軸を下降するようにしたので、その後の出玉のための表示スペースが確保出来る。これにより、＋側グラフ領域或いは−側グラフ領域を余すことなく利用し、不調情報を的確に提供しつつも、＋側グラフ領域についてはグラフを詳細に表示出来ると共に、少しの出玉であっても高い位置（分岐点から離れた位置）にて出玉グラフを維持出来、目立たせることが可能になる一方、−側グラフ領域についてはハマリ感をより目立たせない表示に出来る。【選択図】図４
2010240013.tif 000002
【特許請求の範囲】
【請求項１】
遊技機側から出力される当該遊技機における収支を表す出玉情報を特定可能な遊技信号に基づいて前記出玉情報を求める演算手段と、
前記演算手段が求めた出玉情報の推移を示す出玉グラフを表示する表示手段と、
前記表示手段により表示される前記出玉グラフが、前記表示手段により表示されている前記出玉グラフの表示領域限度を超過した状態となった場合に、前記出玉グラフにおける前記出玉情報に対応したレンジを更新する処理である更新処理を行う更新手段と、を備えた遊技情報表示装置において、
前記出玉グラフの表示領域を、所定の境界線により遊技者にとって好調な出玉状況を示す＋側グラフ領域と、不調な出玉状況を示す−側グラフ領域とに２分する分割手段と、
前記出玉グラフの表示領域における前記境界線の位置を移動させる移動処理を行う境界線移動手段と、を備え、
前記更新手段は、前記出玉グラフが、
前記＋グラフ領域を超過することで、前記表示領域限度を超過した状態である第１状態となった場合であっても、
前記−グラフ領域を超過することで、前記表示領域限度を超過した状態である第２状態となった場合であっても、
前記＋側に優先して前記−側グラフ領域におけるレンジを更新する前記更新処理である優先更新処理を行い、
前記境界線移動手段は、前記第１状態に対応した前記優先更新処理に応じて、前記境界線を前記−側グラフ領域方向へと移動させる前記移動処理を行うことを特徴とする遊技情報表示装置。
【請求項２】
前記境界線移動手段が前記移動処理を行う場合の移動単位を設定する設定手段を備え、
前記境界線移動手段は、前記第２状態に対応した前記優先更新処理に応じて前記−側グラフ領域方向へと移動させる前記移動処理を実行し、
前記第１状態に対応した移動処理を実行する場合には、前記−側グラフ領域における前記出玉グラフの頂点に応じた前記移動単位分だけ前記境界線を移動させる前記移動処理である第１移動処理を実行する一方、
前記第２状態に対応した移動処理を実行する場合には、前記−側グラフ領域における前記出玉グラフの頂点に対して、前記−側グラフ領域に前記第１移動処理と比較して予め定められた所定単位分だけのスペースを設けるように前記境界線を移動させる前記移動処理である第２移動処理を実行することを特徴とする請求項１記載の遊技情報表示装置。
【請求項３】
レンジの大小に応じた識別表示方法を示す識別表示情報が設定された識別設定手段を備え、
前記表示手段は、レンジの大小に対応して前記識別設定手段に設定された識別表示情報が示す表示方法で前記各グラフ領域を識別可能に表示することを特徴とする請求項１又は２記載の遊技情報表示装置。
【請求項４】
対応する遊技機側からの遊技信号に基づいて当該遊技機の遊技状態を判定する遊技状態判定手段を備え、
前記表示手段は、前記遊技状態判定手段が遊技機は特別遊技状態であると判定した場合は、通常の出玉グラフよりも対応するレンジが詳細であり、当該特別状態の発生を起点とした拡大出玉グラフを、前記通常の出玉グラフの表示領域を残したまま、当該表示領域とは別途表示し、
前記表示手段が前記拡大出玉グラフを表示している状態であっても、前記演算手段が求めた前記出玉情報が、前記表示手段により表示されている前記通常の出玉グラフの表示領域限度を超過した状態となった場合には、前記更新手段は前記更新処理を実行し、前記境界線移動手段は前記移動処理を実行することを特徴とする請求項１ないし３のいずれかに記載の遊技情報表示装置。
【発明の詳細な説明】
【技術分野】
【０００１】
本発明は、遊技者の収支を時間経過に従って表示する遊技情報表示装置に関する。
【背景技術】
【０００２】
遊技場では、遊技の目安を提供するため、払出遊技媒体と使用遊技媒体との差を表す出玉の推移グラフである所謂出玉グラフ等の出玉情報を遊技者向けに表示している（特許文献１参照）。
【０００３】
この出玉グラフについて、特許文献２や特許文献３では、同一機種内、或いは複数カテゴリーの遊技情報の内の最大値や最小値を検出して、その数値に基づきグラフレンジを変更することを提案している（図４参照）。このような構成によれば、実際の遊技情報に見合ったグラフサイズにて遊技情報を把握出来るようになり非常に効果的である。
【先行技術文献】
【特許文献】
【０００４】
【特許文献１】特開２００４−８９４８１号公報
【特許文献２】特開２００２−１１９７４９号公報
【特許文献３】特開２００４−９７５１３号公報
【発明の概要】
【発明が解決しようとする課題】
【０００５】
さて、遊技場において遊技者向けに遊技情報を表示する場合、好調な出玉状況に関する遊技情報については積極的にアピールしたいと考える一方、不調な出玉状況に関する遊技情報（以下「不調情報」という）については、あまり目立たせたくないと考えるが、不調情報を提供しなければ遊技者が遊技場を不信に思う虞があるので、提供せざるを得ない。
【０００６】
しかしながら、特許文献２や特許文献３にようにグラフレンジを変更する場合は、管理者向けのグラフを対象としており、上記課題が一切考慮されておらず、この点が、遊技者向けの遊技情報を表示する際に切望されている。
【０００７】
本発明は上記事情に鑑みてなされたもので、その目的は、遊技者に対して不調な出玉状況を報知しつつも、好調な出玉状況を効果的にアピール可能な遊技情報表示装置を提供することにある。
【課題を解決するための手段】
【０００８】
本発明は、遊技機側から出力される当該遊技機における収支を表す出玉情報を特定可能な遊技信号に基づいて前記出玉情報を求める演算手段と、前記演算手段が求めた出玉情報の推移を示す出玉グラフを表示する表示手段と、前記表示手段により表示される前記出玉グラフが、前記表示手段により表示されている前記出玉グラフの表示領域限度を超過した状態となった場合に、前記出玉グラフにおける前記出玉情報に対応したレンジを更新する処理である更新処理を行う更新手段と、を備えた遊技情報表示装置において、
前記出玉グラフの表示領域を、所定の境界線により遊技者にとって好調な出玉状況を示す＋側グラフ領域と、不調な出玉状況を示す−側グラフ領域とに２分する分割手段と、前記出玉グラフの表示領域における前記境界線の位置を移動させる移動処理を行う境界線移動手段と、を備え、前記更新手段は、前記出玉グラフが、前記＋グラフ領域を超過することで、前記表示領域限度を超過した状態である第１状態となった場合であっても、前記−グラフ領域を超過することで、前記表示領域限度を超過した状態である第２状態となった場合であっても、前記＋側に優先して前記−側グラフ領域におけるレンジを更新する前記更新処理である優先更新処理を行い、前記境界線移動手段は、前記第１状態に対応した前記優先更新処理に応じて、前記境界線を前記−側グラフ領域方向へと移動させる前記移動処理を行うものである（請求項１）。
【０００９】
請求項１記載の遊技情報表示装置において、
前記境界線移動手段が前記移動処理を行う場合の移動単位を設定する設定手段を備え、前記境界線移動手段は、前記第１状態に対応した前記優先更新処理に応じて前記−側グラフ領域方向へと移動させる前記移動処理を実行し、前記第１状態に対応した移動処理を実行する場合には、前記−側グラフ領域における前記出玉グラフの頂点に応じた前記移動単位分だけ前記境界線を移動させる前記移動処理である第１移動処理を実行する一方、前記第２状態に対応した移動処理を実行する場合には、前記−側グラフ領域における前記出玉グラフの頂点に対して、前記−側グラフ領域に前記第１移動処理と比較して予め定められた所定単位分だけのスペースを設けるように前記境界線を移動させる前記移動処理である第２移動処理を実行するようにしても良い（請求項２）。
【００１０】
請求項１又は２記載の遊技情報表示装置において、
レンジの大小に応じた識別表示方法を示す識別表示情報が設定された識別設定手段を備え、前記表示手段は、レンジの大小に対応して前記識別設定手段に設定された識別表示情報が示す表示方法で前記各グラフ領域を識別可能に表示するようにしても良い（請求項３）。
【００１１】
請求項１ないし３のいずれかに記載の遊技情報表示装置において、
対応する遊技機側からの遊技信号に基づいて当該遊技機の遊技状態を判定する遊技状態判定手段を備え、前記表示手段は、前記遊技状態判定手段が遊技機は特別遊技状態であると判定した場合は、通常の出玉グラフよりも対応するレンジが詳細であり、当該特別状態の発生を起点とした拡大出玉グラフを、前記通常の出玉グラフの表示領域を残したまま、当該表示領域とは別途表示し、前記表示手段が前記拡大出玉グラフを表示している状態であっても、前記演算手段が求めた前記出玉情報が、前記表示手段により表示されている前記通常の出玉グラフの表示領域限度を超過した状態となった場合には、前記更新手段は前記更新処理を実行し、前記境界線移動手段は前記移動処理を実行するようにしても良い（請求項４）。
【発明の効果】
【００１２】
請求項１の発明によれば、出玉グラフが表示領域限度を超過した状態となった場合は（図４参照）、＋側グラフ領域に優先して−側グラフ領域のレンジを更新して境界線を下降するようにしたので、その後の出玉のための表示スペースが確保出来る。これにより、＋側グラフ領域或いは−側グラフ領域を余すことなく利用し、不調情報を的確に提供しつつも、＋側グラフ領域についてはグラフを詳細に表示出来ると共に、少しの出玉であっても高い位置（境界線から離れた位置）にて出玉グラフを維持出来、目立たせることが可能になる一方、−側グラフ領域についてはハマリ感をより目立たせない表示に出来る。尚、表示領域限度を超過した状態とは、出玉グラフが表示領域を超過したことを意味する。
【００１３】
請求項２の発明によれば、出玉が好調な場合はより多くのスペースが上方に出来る一方、出玉が不調な場合は必要分だけのスペースが下方に出来るので、出玉が好調な場合は、より多くの出玉が得られるような期待感を遊技者に持たせられる一方、不調な場合はハマリの連想を軽減させられる。更に、優先更新処理を実行すると、−側グラフ領域のレンジ（−レンジ）の更新が優先して行われるため不調情報が出玉グラフにて把握し難くなる虞もあるが、必要以上に−側グラフ領域に表示スペースを確保しないことから、−側グラフ領域の面積や幅により大凡の不調情報を遊技者に示すことが可能となる。
【００１４】
請求項３の発明によれば、−側グラフ領域の出玉グラフを目立たないように表示したり、グラフの最低点（出玉の最小値）と範囲最小値とを対応するように表示した場合に、レンジを種類に対応した表示方法でレンジが表示されるので、レンジの種類の把握が容易になる。従って、−側グラフ領域については対応する領域の幅（面積）と識別表示により、出玉の大凡の最小値を遊技者に把握させることが可能となる。また、識別表示により、複数の遊技機の出玉状況を容易に比較出来るようになる。
【００１５】
請求項４の発明によれば、特別状態中の出玉感を向上出来ると共に、全体の出玉イメージを境界線の更新により遊技者に対して印象付けることが可能となる。
【図面の簡単な説明】
【００１６】
【図１】本発明の一実施形態における遊技場用システムの全体構成を概略的に示す図
【図２】情報表示装置の正面図
【図３】設定情報を示す図
【図４】本発明に関連した表示を説明するための図
【図５】出玉グラフの変化の一例を示す図（その１）
【図６】出玉グラフの変化の一例を示す図（その２）
【図７】情報表示装置によるレンジ更新処理を示すフローチャート
【図８】情報表示装置による横軸上昇及び下降処理を示すフローチャート
【図９】本発明の他の実施形態における出玉グラフを示す図
【発明を実施するための形態】
【００１７】
以下、本発明の一実施形態について図１ないし図８を参照して説明する。
図１は、遊技場に設置される遊技場用システムの全体構成を概略的に示す図である。遊技場としてのパチンコホール内に設置された複数の遊技機１に対応して貸出装置２及び情報表示装置３が設置されていると共に、２台の遊技機１、貸出装置２、及び情報表示装置３に対応して中継装置４が設置されている。中継装置４は、遊技機１、貸出装置２及び情報表示装置３と接続されていると共に、ＬＡＮ５を介して管理装置６などと通信可能に接続されている。管理装置６は、例えば遊技場内の事務所などに設置され、ＬＡＮ５を介して、遊技機１、貸出装置２、情報表示装置３及び中継装置４から送信される遊技信号を受信して遊技情報を管理する。尚、図１では省略したが、実際には数百台の遊技機１が管理装置６の管理対象となる。
【００１８】
管理対象となる遊技機１は、次のように動作する。
（１）第１始動口７又は第２始動口８への入賞に応じて大当たり抽選を行い、抽選結果に基づき所謂特別図柄（特図）による図柄変動を表示部（役物）にて実行し、その結果に応じて大当たりを発生させる。尚、所謂保留玉の上限は各４個ずつで、保留中に始動入賞した場合は上限まで保留し、図柄変動終了後に順次保留した図柄変動を実行する。
（２）大当たり抽選の当選確率（大当たり確率）は１／３１０で、大当たりの内、大当たり後に確変状態（確変）となる大当たり（確変大当たり）の割合は６６．６％（２／３）である。
（３）大当たりが発生すると対応するラウンド（Ｒ）に応じた分（１５Ｒ分）だけ大入賞口１０を開放する。尚、１Ｒの上限入賞数は１０個で、上限開放時間は３０秒であり、上限入賞数又は上限開放時間のいずれかが満たされた場合に１Ｒを終了する。
（４）確変中は大当たり確率が１／３１に向上すると共に、第２始動口８への入賞率が向上する時短状態（時短）になる。尚、確変は次回大当たりまで継続するため、大当たり後に通常状態（通常）となる大当たり（通常大当たり）が発生するまで継続する。また、通常大当たり後は、大当たり発生前が確変状態であれば大当たり確率が通常と変わらない時短状態（単独時短状態）となり、その後、図柄変動１００回をもって通常状態へと移行する一方、大当たり発生前が通常状態であれば単独時短状態を介すことなく通常状態へと移行する。
【００１９】
遊技機側からは次の遊技信号が出力される。
アウト信号＝使用玉を回収するアウトＢＯＸから出力。回収（使用、打込）玉１０玉に対して１パルスなので、アウト信号数×１０を使用媒体数（アウト）として特定する。尚、遊技機１から出力しても良い（使用媒体信号）。
セーフ信号＝遊技機１から出力。払出１０玉に対して１パルスなので、セーフ信号数×１０を払出媒体数（セーフ）として特定する。尚、補給装置からの補給信号をセーフ信号としても良い（払出媒体信号）。
始動信号＝遊技機１から出力。各始動口７，８への入賞により変動（動作）する表示部９における図柄変動（役物作動、スタート処理以下、有効Ｓ）１回につき１パルスなので、始動信号×１をスタートとして特定する。尚、各始動口７，８への入賞に応じて出力される信号を大当たり抽選と見做して始動信号としても良い。
大当たり信号＝遊技機１から出力。大当たり中にレベル出力する状態信号なので、大当たり信号受信中を大当たり中として特定する。
確変信号＝遊技機１から出力。確変中にレベル出力する状態信号（特別状態信号）なので、確変信号受信中を特別状態期間（特別期間）として特定する。尚、単独時短中に確変信号とは異なる時短信号が遊技機１から出力されれば、その時短信号を特別状態信号としても良い。また、大当たり中に出力する遊技機１もあるので、大当たり信号と重複して受信した場合は大当たりを優先して状態判定する。
売上信号＝貸出装置２から出力。遊技者に対する貸出玉２５玉毎に１パルスなので、売上信号×２５を売上玉（貸出玉）、売上信号×２５×貸単価（４円）を売上金額として特定する。
【００２０】
貸出装置２は、動作ランプ１１、遊技情報などを表示するタッチパネル式の表示パネル１２、貨幣投入口１３、貨幣返却口１４、玉を払出する払出ノズル１５などから構成されている。遊技者が貨幣投入口１３に貨幣を投入すると、投入した貨幣に応じた数の玉が払出ノズル１５から払出されて遊技機１の上玉受皿１６に供給される。
【００２１】
管理装置６は、図示しないＣＰＵ、ＨＤＤ、ＲＯＭ、ＲＡＭなどからなるコンピュータで構成されており、例えばＨＤＤに記憶されている制御プログラムに従って作動する。各遊技機１、各貸出装置２及び各情報表示装置３から送信される各種の遊技情報信号に基づいて、遊技機１毎或いは遊技者毎に遊技情報を集計する。
【００２２】
情報表示装置（遊技情報表示装置に相当）３は、ＣＰＵからなる制御部（演算手段、更新手段、分割手段、境界線移動手段、設定手段、識別設定手段、遊技状態判定手段に相当）、ＲＯＭ及びＲＡＭなどの記憶部、信号を送受信するためのインターフェースからなる送受信部などを備え、記憶部に記憶されている制御プログラムに従って動作する。
【００２３】
図２は、情報表示装置３の概略を示す正面図である。情報表示装置３は、各種の釦が設けられている操作部１７、及び各種の情報を表示する表示部（表示手段に相当）１８を備えている。尚、これら遊技情報は対応する遊技機１についての遊技情報であるが、他の遊技機１の遊技情報を情報表示装置３間にて送受信して表示しても良い。
操作部１７には、従業員リモコンからの操作信号を受信するリモコン受信部１９、表示部１８に表示される情報を切替えるための複数の切替釦２０、従業員を呼出すため（呼出操作を行うため）に遊技者が操作する呼出釦２１が設けられている。表示部１８は、遊技機１の遊技状態に応じて表示を切替えるようになっており、遊技機１が通常状態時にある通常表示時には、当日の大当たり数、累計の箱数、当日／１日前／２日前における出玉数の推移を示す日別グラフ、過去最高の大当たり継続数、過去最高の出玉数、スタート回数等（いずれも図示せず）を表示するようになっている。
【００２４】
図２は遊技機１が確変状態、或いは単独時短状態等の特別状態、即ち、甘モード時にある甘中表示の例を示しており、表示部１８には、遊技機１の状態を示す状態表示部１８ａ、本日の累計情報を示す累計情報表示部１８ｂ、前回の大当たり終了からのスタート数を示すスタート表示部１８ｃ、只今の連荘数を示す連荘情報表示部１８ｄ、出玉情報の推移を示す出玉グラフを表示する出玉グラフ表示部１８ｅ、イベント情報などのテロップを表示するテロップ表示部１８ｆが表示されている。
【００２５】
情報表示装置３は、呼出釦２１の押下に応じて呼出表示をする所謂呼出ランプの機能、及び後述する情報、或いは他の情報を含めた対応する遊技機１の遊技情報を切替釦２０の操作に応じて表示する周知の機能を有するため、必要に応じて各種記憶領域を備えている。このような記憶領域に記憶されている情報の一つとして、管理装置６を介して間接的に、或いはリモコン操作等で直接的に設定操作を受付けることにより、対応する遊技機１又は遊技機グループ（機種、島等）毎に設定可能な設定情報がある。
【００２６】
図３は設定情報を示しており、以下の項目を設定可能となっている。
最大値＝対応するレンジの出玉（セーフ−アウト）のデフォルト最大値（絶対値）。
移動単位＝グラフの横軸（境界線に相当）を上昇、或いは下降する際の移動単位（出玉レベル）。
背景色（識別表示情報に相当）＝グラフを表示する際の背景色。尚、設定では括弧内に示す色自体が表示されている。
分岐点＝好調な出玉状況と不調な出玉状況とを区分けする分岐点（出玉レベル）で、分岐点以上のグラフ領域を＋側グラフ領域とする一方、分岐点以下のグラフ領域を−側グラフ領域とする。
尚、図３の例では、レンジ３が最大レンジとなる。
【００２７】
情報表示装置３は、遊技機側から出力される遊技信号により最新出玉（セーフ−アウト）を特定し、縦軸を出玉、横軸をアウトとした所謂出玉グラフを表示部の出玉グラフ表示部に表示する。尚、出玉グラフは所定数のアウト発生毎、及び大当たり開始及び終了時等に更新する。
情報表示装置３は、出玉グラフのグラフレンジを複数設定可能であり、最大値や、移動単位等の対応する設定情報を設定し、出玉数に応じて対応するグラフレンジを後述するようにして更新する。
情報表示装置３が表示する出玉グラフは、図３の設定情報における分岐点により図２に示すように＋側グラフ領域と−側グラフ領域とに区分けされ、レンジ１，２の場合に直近の出玉である最新出玉に応じてグラフ領域毎のレンジの更新が可能となっている。
【００２８】
図４は、情報表示装置３による本発明に関連した表示を説明するための図である。図中の縦軸は出玉（セーフ−アウト）、横軸はアウトに対応している。出玉グラフのレンジを更新する場合、従来の更新方法では最新出玉が＋側グラフ領域の範囲最大値に達すると、＋側グラフ領域のレンジを変更してスペースを設けていた。しかしながら、本実施形態における情報表示装置３の基本動作は、後述するように最新出玉が例えば＋側グラフ領域の範囲最大値（＝１００００）に達した場合、−グラフ領域のレンジ（２５００）を次のレンジ（５０００）に変更する。次に、出玉グラフの最低点と範囲最小値（＝−２００００）との間のスペースに基づいて横軸を下降可能かを判断し、下降可能な場合は、できるだけ下降するというものである。
このような動作により、＋側グラフ領域の上部にスペースを設けつつも、＋レンジを更新せずに済み、出玉グラフによる出玉イメージを残すことができる。
【００２９】
以下、情報表示装置３の具体的な動作について説明する。
情報表示装置３は、通常の処理に加えて、本発明に関連して、レンジ更新処理、及び横軸上昇＆下降処理を周期的に実行するようになっている。
図７は、情報表示装置３によるレンジ更新処理を示すフローチャートで、グラフ推移例を示す図５及び図６の出玉グラフを参照しながら説明する。尚、図６の出玉グラフに示す例は、説明し易いように図５の出玉グラフの上下を裏返して示したものであり、実際の出玉の推移を示したものではない。また、現在の出玉グラフ及びグラフレンジが図５（Ａ）に示す通りであるとする。
【００３０】
情報表示装置３は、最新出玉が範囲最大値（１００００、表示領域限度に相当）を上回ったか（Ａ１）、最新出玉が範囲最小値（−１００００、表示領域限度に相当）を下回ったか（Ａ２）を判断している。最新出玉が＋側グラフ領域の範囲最大値（１００００）を上回ると、範囲最大値を上回った（「第１状態となった場合」に相当）と判断し（Ａ１：ＹＥＳ）、＋側グラフ領域にスペースが必要であることを示す＋フラグを１としてから（Ａ４）、−側グラフ領域の範囲最小値（−１００００）と、図３の設定情報に設定されている現−レンジの移動単位（２５００）の合計値が、出玉グラフの最低点より小さいかを判断する（Ａ５）、即ち、現レンジをそのままとして（次レンジへと更新せずに）横軸Ｘを移動単位分下降出来るかを判定するのである。下降出来れば（Ａ５：ＹＥＳ）、そのまま後述する横軸下降処理を実行する（Ａ１４）。下降出来なれば（Ａ５：ＮＯ）、−レンジが最大レンジ（レンジ３）かを判断する（Ａ６）。レンジ３でなければ（Ａ６：ＮＯ）、−レンジを次レンジ（レンジ１の場合はレンジ２、レンジ２の場合はレンジ３）とし（Ａ１３）、横軸下降処理を実行する（Ａ１４）。また、レンジ３であれば（Ａ６：ＹＥＳ）、＋レンジが最大レンジかを判定し（Ａ７）、最大レンジで無ければ＋レンジを次レンジ（Ａ８）として、＋フラグが０かを判定し（Ａ９）、０であれば（Ａ９：ＹＥＳ）後述する横軸上昇処理を実行する（Ａ１０）。尚、レンジ更新した場合は、図３の設定情報にて設定される背景色をレンジの背景色（この場合はレンジ２に対応する黄色）とする。
【００３１】
以上のように、最新出玉が範囲最大値に達した場合に、＋レンジの更新に先んじて（優先して）−レンジを更新し（優先更新処理）、横軸の下降処理（移動処理）を実行するので、＋レンジを現在のままで＋側グラフ領域の上部にスペースを作り出すことができる。
図５の（Ａ）→（Ｂ）、（Ｂ）→（Ｃ）に示す例は、最新出玉が範囲最大値に達したが（（Ｂ）の点線、（Ｃ）の点線、「第１状態となった場合」に相当））、出玉グラフの最低点により、そのまま横軸Ｘを下降出来ないため（Ａ５：ＮＯ）、−レンジを次レンジとし（Ａ１３）、横軸Ｘを下降した（Ａ１４）状態を示している。
【００３２】
図８は、情報表示装置３による横軸上昇及び下降処理を示すフローチャートである。
図５の（Ａ）→（Ｂ）の場合、情報表示装置３は、上述した通り最新出玉が範囲最大値（１００００）に達した（Ａ１：ＹＥＳ、尚、＋フラグはＡ４にて「１」）ことにより、−レンジを次レンジ（＋レンジ＝レンジ１、−レンジ＝レンジ２）として（Ａ１３）横軸下降処理（Ａ１４）を実行する。横軸下降処理では（Ｂ１：下降）、横軸Ｘを移動単位分下降して（Ｂ２）、範囲最大値及び範囲最小値を更新（１２５００及び−１５０００）する（Ｂ３）。そして、出玉グラフの最低点が範囲最小値に−レンジの２移動単位を加算した値（−１５０００＋２×５０００＝−５０００）を上回っているかを判定するが（Ｂ４）、最低点は上回らないことから（Ｂ４：ＮＯ）＋フラグが１かを判定する（Ｂ５）。この場合、＋フラグは１なので（Ｂ５：ＹＥＳ）、出玉グラフの最低点が範囲最小値に−レンジの移動単位を加算した値（−１５０００＋５０００＝−１００００）を上回っているかを判定し（Ｂ６）、最低点が上回ることから（Ｂ６：ＹＥＳ）ステップＢ２以降を繰り返すと、出玉グラフの最低点が範囲最小値＋移動単位（−１００００＋５０００＝−５０００）を下回るので（Ｂ６：ＮＯ）、＋フラグを０とする（Ｂ９）。即ち、最新出玉が範囲最大値に達したことに応じてレンジを次レンジへと更新した場合は、下降後の出玉グラフの最低点が範囲最小値を下回らないことを条件として下降出来るだけ横軸Ｘを移動単位にて下降するのである。
【００３３】
以上のような＋フラグが１の状態での（第１状態に対応した）横軸下降処理である第１移動処理により、最新出玉に対応するため＋側グラフ領域の上部にスペースを作りつつも、出玉グラフの最低点に応じて−側グラフ領域の広さを調整すべく横軸Ｘを下降するので、−レンジの更新により−側グラフ領域における出玉グラフの推移が把握し難くなっても、その広さにより直感的に−側の出玉グラフの最低点を遊技者に把握させることができる。
【００３４】
図６の（Ｆ）→（Ｇ）、（Ｈ）→（Ｉ）に示す例は、最新出玉が範囲最小値に達したが（（Ｇ）の点線、（Ｉ）の点線「第２状態となった場合」に相当）、出玉グラフの最高点により、そのまま横軸Ｘを上昇出来ないため（Ａ３：ＹＥＳ）、−レンジを次レンジとし（Ａ１３）、横軸Ｘを下降した状態（Ａ１４）を示している。
図６の（Ｆ）→（Ｇ）の場合、情報表示装置３は、最新出玉が範囲最小値未満になったことから（Ａ２：ＹＥＳ）、出玉グラフの最高点が（範囲最大値−移動単位）を上回っているかを判定する（Ａ３）。即ち、レンジを更新せずに横軸Ｘを上昇出来るかを判定し、上昇出来れば（Ａ３：ＮＯ）、後述する様に横軸上昇処理を行う（Ａ１０）が、出来ないので（Ａ３：ＹＥＳ）、上述した場合と同様に−レンジを次レンジとして（Ａ１３）、横軸下降処理を実行する（Ａ１４）。
【００３５】
この場合、−レンジを次レンジとした時点での範囲最小値は−２００００なので、横軸下降後（Ｂ２）の範囲最小値は−１５０００になる（Ｂ３）。そして、出玉グラフの最低点が、範囲最小値に−レンジの２移動単位を加算した値を上回らず（Ｂ４：ＮＯ）、＋フラグも０であることから（Ｂ５：ＮＯ）、＋フラグを確認する（Ｂ９）。尚、ステップＢ４において最低点が上回れば（Ｂ４：ＹＥＳ）、ステップＢ２以降の処理を上述同様に繰り返して実行する。即ち、最新出玉が範囲最小値に達したことに応じてレンジを次レンジへと更新した場合は、下降後の出玉グラフの最低点が範囲最小値に移動単位を加えた値を下回らないことを条件として横軸Ｘを下降出来るだけ下降するのである。
【００３６】
以上のような＋フラグが０の状態での（第２状態に対応した）横軸下降処理である第２移動処理では、最新出玉に対応するため−レンジを次レンジとした場合であっても、当面の更新分である所定範囲（移動単位）分だけのスペースを残すように−側グラフ領域の広さを調整すべく横軸Ｘを下降し、必要以上に横軸Ｘを下降しないので、−側グラフ領域の広さと−側の出玉グラフの最低点との対応関係を損なわない。尚、所定単位は当面の更新分をどの程度にするかを目安として定めれば良いため本実施形態では移動単位としたので、移動単位分の横軸下降後に、更に移動単位分のスペースを確保するため、範囲最小値に２移動単位を加えた値と出玉グラフ最低点（即ち、最新出玉）とを比較したが、別途、所定単位を設定し、範囲最小値、移動単位、及び所定単位の合算値と、出玉グラフの最低点とを比較して、移動後に所定単位分だけのスペースを確保するように横軸Ｘ（境界線）を移動させても良い。
【００３７】
図６の（Ｇ）→（Ｈ）、（Ｉ）→（Ｊ）、（Ｋ）→（Ｌ）に示す例は、最新出玉が範囲最小値に達した場合に（Ａ２：ＹＥＳ）、（（Ｈ）の点線、（Ｊ）の点線、（Ｌ）の点線）、そのまま横軸Ｘを上昇出来ることから（Ａ３：ＮＯ）、横軸上昇処理を実行した（Ａ１０）状態を示している。横軸上昇処理では（Ｂ１：上昇）、横軸Ｘを図３の設定情報にて設定される現レンジ（次レンジとした場合は、次レンジが現レンジ）の移動単位分上昇させ（Ｂ７）、範囲最大値及び範囲最小値を更新してから（Ｂ８）、＋フラグが０であることを確認する（Ｂ９）。
【００３８】
図５の（Ｃ）→（Ｄ）に示す例は、最新出玉が範囲最大値に達したが（（Ｄ）の点線）、−レンジが最大レンジであるため（Ａ６：ＹＥＳ）、＋レンジを次レンジ（レンジ１→レンジ２）とした状態（Ａ８）を示している。情報表示装置３は、−レンジが最大レンジであり（Ａ６：ＹＥＳ）、＋レンジが最大レンジ（レンジ３）でないことから（Ａ７：ＮＯ）、＋レンジを次レンジとする一方（Ａ８）、＋フラグが１であり（Ａ９：ＮＯ）、横軸Ｘを上昇させると−側グラフ領域に余分なスペースが生じることから、横軸上昇処理を実行せずに＋フラグを０とする（Ａ１２）。
【００３９】
図６の（Ｊ）→（Ｋ）に示す例は、最新出玉が範囲最小値に達した（Ａ２：ＹＥＳ）が、そのままでは横軸Ｘを上昇出来ず（Ａ３：ＹＥＳ）、−レンジが最大レンジであることから（Ａ６：ＹＥＳ）、＋レンジを次レンジとし（Ａ８）、横軸Ｘを上昇した状態を示している。情報表示装置３は、この場合であっても−レンジが最大レンジであることを条件として（Ａ６：ＹＥＳ）、＋レンジを次レンジとする更新処理（優先更新処理に相当）を実行する（Ａ８）。そして、＋フラグが０であることから（Ａ９：ＹＥＳ）、−側グラフ領域の下方にスペースを作るべく、横軸上昇処理を行う（Ａ１０）。
以上のように、最新出玉が範囲最大値に達しても不必要に横軸を上昇させない一方、範囲最小値に達した場合には最新出玉に対応すべく上昇させることで、＋フラグを次レンジへと更新した場合であっても、−側グラフ領域の広さにより大凡の損失具合を表すことが可能となる。
【００４０】
情報表示装置３は、最新出玉が範囲最大値、或いは最小値に達した場合に、−レンジが最大レンジである上に（Ａ６：ＹＥＳ）、＋レンジが最大レンジであれば（Ａ７：ＹＥＳ）、＋レンジを更新することができないことから、範囲最大値或いは範囲最小値を超過して出玉、及び期間が特定可能な超過表示を開始してから（Ａ１１）、＋フラグを０とする（Ａ１２）。
図５の（Ｄ）→（Ｅ）、図６の（Ｌ）→（Ｍ）に示す例は、最新出玉に応じて＋レンジも最大レンジとした後、更にそれ以上の出玉幅となったため、超過表示を行っている状態を示している。
【００４１】
このような実施形態によれば、情報表示装置３は、出玉が＋側グラフ領域の範囲最大値、或いは−側グラフ領域の範囲最小値に達した場合は、＋側グラフ領域に優先して−側グラフ領域のレンジを更新して横軸Ｘを下降するようにしたので、その後の出玉のための表示スペースが確保出来る。これにより、＋側グラフ領域或いは−側グラフ領域を余すことなく利用し、不調情報を的確に提供しつつも、＋側グラフ領域についてはグラフを詳細に表示出来ると共に、少しの出玉であっても高い位置（横軸Ｘから離れた位置）にて出玉グラフを維持出来、目立たせることが可能になる一方、−側グラフ領域についてはハマリ感をより目立たせない表示に出来る。
【００４２】
また、出玉が好調な場合はより多くのスペースが上方に出来る一方、出玉が不調な場合は必要分だけのスペースが下方に出来るので、出玉が好調な場合は、より多くの出玉が得られるような期待感を遊技者に持たせられる一方、不調な場合はハマリの連想を軽減させられる。更に、優先更新処理を実行すると、−側グラフ領域のレンジ（−レンジ）の更新が優先して行われるため不調情報が出玉グラフにて把握し難くなる虞もあるが、必要以上に−側グラフ領域に表示スペースを確保しないことから、−側グラフ領域の面積や幅により大凡の不調情報を遊技者に示すことが可能となる。
また、レンジを種類に対応した色で表示するようにしたので、レンジの種類の把握が容易になる。従って、−側グラフ領域については対応する領域の幅（面積）と識別表示により、出玉の大凡の最小値を遊技者に把握させることが可能となる。また、識別表示により、複数の遊技機１の出玉状況を容易に比較出来るようになる。
【００４３】
（他の実施形態）
本発明は、上記実施形態に限定されることなく、次のように変形または拡張できる。
図９に示すように、大当たりや甘モード中（特別遊技状態に相当）に、その開始時点からのスランプグラフを拡大表示しても良く、この場合、別途、拡大表示用のレンジを設けると良い。更に、拡大表示用のレンジとして、通常の出玉グラフのレンジよりも詳細なレンジを設定し、そのレンジより拡大表示を開始し、範囲最大値に達した場合に次のレンジへと更新しても良い。
【００４４】
このように拡大表示を行う場合、通常の出玉グラフの更新を行わずに、拡大表示にてグラフを更新し、更に、通常の出玉グラフのレンジと横軸のみを更新しても良い。この場合、２重の処理による制御負担を軽減しつつも、拡大表示中でも、グラフレンジによる大凡の全体の出玉推移を把握可能となる。
最新出玉が範囲最大値となることに応じて−レンジを次レンジとした場合に、可能な限り横軸を下降したが、他の場合と同様の下降としても良い。
また、最新出玉が範囲最小値に達した場合にはレンジを次レンジに更新するか否かに関わらず、出玉グラフの最低点、或いは最低点に所定単位を加えた値を基準として横軸Ｘを下降出来るだけ下降したが、次レンジへと更新しない場合には移動単位１単位分だけ下降する様にしても良い。
【００４５】
また、レンジの更新タイミングとして最新出玉以外に、所定時間（例えば１時間）毎に更新し、更新するまでは一時的に超過表示を行い、更新時期を迎えた場合に最高出玉、或いは最低出玉により更新しても良い。
更に優先更新処理として、−レンジが最大レンジであることを条件として＋レンジを更新したが、−レンジが２であることを条件として＋レンジをレンジ２へと更新する等、＋レンジと同等のレンジが−レンジにて更新されていることや、最大レンジをレンジ４として、−レンジがレンジ３であることを条件として＋レンジをレンジ３に更新する等、−レンジの所定の更新を条件として＋レンジの更新を行えば、どのように優先更新処理を行っても良い。
【００４６】
分岐点について０としたが、遊技者にとって有利となる出玉の境界線であれば、例えば１０００等の他の数値としても良い。その他、レンジの種類数等、数値や、記憶領域等は単なる例示であり、どのように構成しても良い。
横軸としてアウトを採用したが、時刻や稼動時間等、時間経過を示す経過情報であればどのような経過情報を採用しても良い。また、縦軸についても出玉以外に、売上玉＋セーフ−アウトにより示される持玉に交換単価（例えば３円）を乗じた交換金額と、売上金額の差である収支金額、或いは売上玉と持玉の差である収支玉数等の出玉情報を採用しても良い。
【００４７】
アウトに対応する第１軸を横軸とし、出玉に対応する第２軸を縦軸としたが、適宜入れ替えしても良い。
対象となる＋レンジと−レンジの数を同一数としたが、各々設定しても良い。
出玉グラフの対象期間としては、１営業日に限らず複数日の営業日としても良い。
対象となる遊技機としては、他にスロットマシン等であっても良い。
遊技情報表示装置としては、対応する遊技機の遊技情報を表示可能であれば、貸出装置、所謂データロボ（登録商標）、或いは遊技機自体を遊技情報表示装置とする等、様々な態様で遊技情報表示装置を構成出来る。
遊技情報表示装置の情報処理の一部、或いは全部を中継装置や管理装置等にて行う構成としても良い。即ち、本発明における遊技情報表示装置の概念は、それら情報処理を行う装置をも含めた広義の遊技情報表示装置を意味する。
【符号の説明】
【００４８】
図面中、１は遊技機、３は情報表示装置（遊技情報表示装置、演算手段、更新手段、分割手段、境界線移動手段、設定手段、識別設定手段、遊技状態判定手段）、１８は表示部（表示手段）である。
【図１】
2010240013.tif 000003
【図２】
2010240013.tif 000004
【図３】
2010240013.tif 000005
【図４】
2010240013.tif 000006
【図５】
2010240013.tif 000007
【図６】
2010240013.tif 000008
【図７】
2010240013.tif 000009
【図８】
2010240013.tif 000010
【図９】
2010240013.tif 000011